(57)【要約】【目的】本発明は、安価で嵩張らず、容易に貼り付けできる薄板状フックとそれをフックファスナーとして開閉部に設けた袋体を提供する。【構成】可撓性と弾力性のある厚さ０．１５〜０．８ｍｍ位の薄板状素材をフックになるようカットし、切り込み（１）を入れ、その先に、裂け防止用円形穴（２）を設けた固定部（３）、可動部（４）、耳部（５）からなる薄板状フック（Ａ）を形成する。その薄板状フック（Ａ）を袋体（Ｂ）の開閉部に、対で逆向きに、フラップ（Ｄ）を閉じた時、裂け防止用円形穴（２）同士が引き掛け合えるように設けた事を特徴とする。【選択図】    図１２
2004256166.tif 000002
【特許請求の範囲】
【請求項１】
可撓性と弾力性のある厚さ０．１５〜０．８ｍｍ位の薄板状素材を、フックになるようカットし、切り込み（１）を入れ、その先に０．５〜３ｍｍ位の裂け防止用円形穴（２）を設けた薄板状フック。
【請求項２】
固定部（３）に接着用穴（１０）を設けた請求項１の薄板状フック。
【請求項３】
開閉部に薄板状フックを対で逆向きに、裂け防止用円形穴（２）同士が引き掛け合えるように設けた袋体。
【発明の詳細な説明】
【０００１】
【発明の属する技術分野】
本発明は薄板状フックとそれを容易に掛け外し出来るフックファスナーとして開閉部に設けた袋体に関するものである。
【０００２】
【従来の技術】
従来、学校等で給食費や部活動費などを納入する納入袋はクラフト封筒が主で、フラップを閉じて針金製のクリップ等で仮閉じする方法が大多数であった。この場合、硬貨が多いと向きによっては、硬貨の重さでクリップが外れたり、カバンの中でクリップが他の物に引っ掛かり、外れて硬貨がこぼれる事があった。又、フラップと袋体本体の開閉部付近にそれぞれ巻き付け部を設け、紐で繋ぐクラフト封筒等やマジックテープ、ホックなどを開閉部に設けたケース、ホルダー等は硬貨がこぼれる恐れはないが、嵩張り、価格も高かった。
【０００３】
【発明が解決しようとする課題】
本発明は安価で嵩張らず、容易に貼り付けできる薄板状フックとそれを容易に掛け外しできるフックファスナーとして、開閉部に設けた袋体を提供する事にある。
【０００４】
【課題を解決するための手段】
可撓性と弾力性のある厚さ０．１５〜０．８位の薄板状素材を固定部と可動部及び耳部を設けたフックになるようカットし、切り込みを入れ、その先に０．５〜３ｍｍ位の裂け防止用円形穴を設ける。尚、粘着剤等の良く着く素材製の袋体に、容易に貼り付けできるよう固定部の片面に粘着剤を塗布、又は、両面粘着テープを貼り付け、そこを剥離紙で覆う。以上のような薄板状フックをフックファスナーとして袋体の開閉部のフラップと袋体本体に対で逆向きに、フラップを閉じた時、裂け防止用円形穴同士が引き掛け合えるように固定部を糊、接着剤、粘着剤、両面粘着テープ、ハトメ、ホッチキス針、溶着等により固定して設ける。又、切り込みの幅が０．５ｍｍ以上の場合は裂け防止用円形穴の変わりに先を丸くカットしてもよい。
【０００５】
【発明の実施の形態】
以上のような構成であるから薄板状フックを対で逆向きに、裂け防止用円形穴同士を引き掛け合った状態で、袋体の開閉部のフラップと袋体本体にそれぞれ固定部を貼り付ければ、容易に掛け外しできるフックファスナーになる。尚、掛ける時は耳部の裏同士を合わせ時計回りに捻る。それから外す時は耳部の表同士を合わせ反時計回りに捻る。このように容易に掛け外しできるが耳部の表同士を合わせ反時計回りに捻らない限り、前後左右に引っ張っても容易に外れる事はない。又、薄板状フックの掛け合わせが逆の場合、掛け外し時、耳部を合わせ捻る方向も逆になる。
【０００６】
【実施例】
本発明の実施例を図１、図１２について説明する。
（イ）  可撓性と弾力性のある厚さ０．３ｍｍ前後のポリプロピレンフイルムを長辺４０ｍｍ位、短辺１８ｍｍ位の長板状にカットする。それから短辺側の片方を半円状にカットし、さらに円形の可動部（４）と矩形状の固定部（３）を設けたＪ字状にカットする。
（ロ）  可動部（４）の円形の終端と固定部（３）の直線部が交わる所から弧状の切り込み（１）を円形の中心付近で固定部（３）の縦中心線上付近まで入れ、切り込み（１）とその先から左側の指で摘まめる位の大きさ以上の耳部（５）を設ける。
（ハ）  切り込み（１）の先に直径１ｍｍ位の裂け防止用円形穴（２）を設け、薄板状フック（Ａ）を形成する。
（二）  上記薄板状フック（Ａ）を袋体（Ｂ）の開閉部のフラップ（Ｄ）と袋体本体（Ｃ）に対で逆向きに、フラップ（Ｄ）を閉じた時、裂け防止用円形穴（２）同士が引き掛け合えるように、固定部（３）を接着剤（６）、ハトメ、ホッチキス針等で固定して設ける。
【０００７】
以上のような構成で薄板状フック（Ａ）の大きさは袋体（Ｂ）の大きさによって変えても良い。尚、厚さは０．１５〜０．８ｍｍ位、裂け防止用円形穴（２）は直径０．５〜３ｍｍ位の範囲で最適な値にすればよい。又、固定部（３）は矩形状でなくてもよく、切り込み（１）も弧状でなくてもよい。その他ケース、ホルダー、ファイル、ノートブック、箱などの開閉部にフックファスナーとして設けてもよい。
以下、他の実施例を図面について説明する。
【０００８】
図２は、対で逆向きに裂け防止用円形穴（２）同士を引き掛け合わせた時、重なった可動部（４）、耳部（５）が円形になるようカットし、さらに指が掛けやすいように耳部（５）と重なる可動部（４）を内側に２〜５ｍｍ位カットした薄板状フック（Ａ１）である。
【０００９】
図３は、上記薄板状フック（Ａ１）をフックファスナーとして引き掛け合わせた状態を示すものである。
【００１０】
図４は、粘着剤等が着きにくいポリプロピレンフィルム等製の薄板状フック（Ａ）を容易に袋体（Ｂ）に貼付できるよう固定部（３）の片面に粘着剤等が良く着く素材製の薄い粘着板（８）を接着剤（６）で接着し、その表面に粘着剤（７）を塗布し、そこを剥離紙（９）で覆ったものである。
【００１１】
図５は、粘着剤等が着きにくいポリプロピレンフイルム等製でも、袋体（Ｂ）に容易に接着できるよう固定部（３）に接着剤等の通る接着用穴（１０）を設けた薄板状フック（Ａ２）である。
【００１２】
図６は、固定部（３）に接着用穴（１０）を設けた薄板状フック（Ａ２）を袋体（Ｂ）に接着した状態を示すもので、接着剤（６）が接着用穴（１０）を通り、袋体（Ｂ）と粘着剤等の良く着く素材製の薄い押え板（１１）とが強力に接着されるので粘着剤等が着きにくいポリプロピレンフィルム等製の薄板状フック（Ａ２）でもしっかり固定できる。
【００１３】
図７は、固定部（３）に接着用穴（１０）を設けた薄板状フック（Ａ２）の固定部（３）の両面に接着剤（６）を塗布して、その両面に粘着剤等の良く着く素材製の薄い押え板（１１）を貼り付け、その薄い押え板（１１）の片側の面に粘着剤（７）を塗布し、そこを剥離紙（９）で覆ったものである。
【００１４】
図８は、固定部（３）に設けた接着用穴（１０）に丁度嵌まる大きさ、厚さで両面に粘着剤（７）を塗布した両面粘着板（１２）を示すものである。
【００１５】
図９は、薄板状フック（Ａ２）の固定部（３）に設けた接着用穴（１０）に両面粘着板（１２）を嵌め、表側に粘着剤等の良く着く素材製の薄い押え板（１１）を貼り付け、裏側を剥離紙（９）で覆ったものである。
【００１６】
図１０は、固定部（３）に設けた接着用穴（１０）に丁度嵌まる大きさ、厚さ、間隔の凸部（１３）を片面に設けた凸部付き押え板（１４）を示すものである。
【００１７】
図１１は、薄板状フック（Ａ２）の固定部（３）に設けた接着用穴（１０）に凸部付き押え板（１４）の凸部（１３）を表側から嵌め、裏側に出た凸部（１３）の面に粘着剤（７）を塗布し、剥離紙（９）で覆ったものである。
以上のような構成であるが粘着剤（７）の変わりに両面粘着テープを貼り付けても良い。
【００１８】
【発明の効果】
本発明は、以上のような構成であるから次のような効果がある。
【００１９】
請求項１、請求項２の薄板状フックにおいては、袋体等の開閉部に対で逆向きに裂け防止用円形穴同士が引き掛け合えるように設けるだけで容易に掛け外しできるフックファスナーになる。又、薄くて嵩張らず、安価に提供できる。
【００２０】
請求項２の固定部に接着用穴を設けた薄板状フックは、粘着剤や接着剤等の着きにくいポリプロピレンフィルム等製でも接着用穴を利用して、袋体等の開閉部に容易にしっかり固定できる。
【００２１】
請求項１、請求項２の薄板状フックにおいて、固定部の片面に粘着部を設けたものは、袋体の開閉部に、剥離紙を剥がして対で逆向きに貼り付けるだけで、容易にフックファスナー付き袋体を形成できる。
【００２２】
請求項３の薄板状フックをフックファスナーとして開閉部に設けた袋体は、薄板状フックの耳部同士を指で摘まんで合わせ、時計回り、反時計回りに捻るだけで容易に掛け外しできる。又、掛けた時は、切り込みの先に設けた裂け防止用円形穴同士がしっかり掛かり合っているので、前後左右に引っ張られても容易に外れる事はない。よって、しっかり仮閉じできる。  尚、フックファスナーとして薄板状フックが貼付されているのでクリップ等を探す手間が要らない。
【００２３】
【図面の簡単な説明】
【図１】本発明の薄板状フックの平面図である。
【図２】薄板状フックの実施例２を示す平面図である。
【図３】図２の薄板状フックを引き掛け合わせた状態を示す平面図である。
【図４】薄板状フックの実施例３を示す厚さを拡大した斜視図である。
【図５】薄板状フックの実施例４を示す平面図である。
【図６】図５の薄板状フックを袋体に接着した状態を示す厚さを拡大した側面図である。
【図７】薄板状フックの実施例５を示す厚さを拡大した側面図である。
【図８】両面粘着板を拡大した斜視図である。
【図９】薄板状フックの実施例６を示す厚さを拡大した側面図である。
【図１０】凸部付き押え板を拡大した斜視図である。
【図１１】薄板状フックの実施例７を示す厚さを拡大した側面図である。
【図１２】本発明の薄板状フックをフックファスナーとして開閉部に設けた袋体の平面図である。
【符号の説明】
Ａ、Ａ１、Ａ２  薄板状フック
Ｂ  袋体
Ｃ  袋体本体
Ｄ  フラップ
１  切り込み
２  裂け防止用円形穴
３  固定部
４  可動部
５  耳部
６  接着剤
７  粘着剤
８  薄い粘着板
９  剥離紙
１０  接着用穴
１１  薄い押え板
１２  両面粘着板
１３  凸部
１４  凸部付き押え板
【図１】
2004256166.tif 000003
【図２】
2004256166.tif 000004
【図３】
2004256166.tif 000005
【図４】
2004256166.tif 000006
【図５】
2004256166.tif 000007
【図６】
2004256166.tif 000008
【図７】
2004256166.tif 000009
【図８】
2004256166.tif 000010
【図９】
2004256166.tif 000011
【図１０】
2004256166.tif 000012
【図１１】
2004256166.tif 000013
【図１２】
2004256166.tif 000014